(57)【要約】【課題】血液ラインからシリンジに採血された血液を採血管へ移す作業を、容易に且つ速やかに、しかも安全に行うことを可能にする、新規な構造の採血ライン構造体を提供する。【解決手段】採血ライン構造体１０が、有底筒状とされて開口部２６から採血管１４が差し入れられるホルダー本体１６と、該ホルダー本体１６の底部２４から内方に向かって突出して設けられて、前記採血管１４に刺入接続される中空針４２と、前記ホルダー本体１６の底部２４から外方に向かって延び出して設けられて、前記中空針４２に連通された可撓性チューブ２０と、該可撓性チューブ２０における前記ホルダー本体１６への接続端とは反対の先端部に設けられて、シリンジ１２のルアー５０が接続されるルアー接続部１８とを有する。【選択図】図２
0003179889.tif 000002
【実用新案登録請求の範囲】
【請求項１】
有底筒状とされて開口部から採血管が差し入れられるホルダー本体と、
該ホルダー本体の底部から内方に向かって突出して設けられて、前記採血管に刺入接続される中空針と、
前記ホルダー本体の底部から外方に向かって延び出して設けられて、前記中空針に連通された可撓性チューブと、
該可撓性チューブにおける前記ホルダー本体への接続端とは反対の先端部に設けられて、シリンジのルアーが接続されるルアー接続部と
を、有することを特徴とする採血ライン構造体。
【請求項２】
前記可撓性チューブが、１〜３０ｃｍの全長を有している請求項１に記載の採血ライン構造体。
【請求項３】
前記可撓性チューブが、５〜１５ｃｍの全長を有している請求項１に記載の採血ライン構造体。
【請求項４】
前記可撓性チューブが、１〜２ｍｍφの内径寸法を有している請求項１〜３の何れか１項に記載の採血ライン構造体。
【請求項５】
前記ルアー接続部が、シリンジのルアーを直接に嵌め込んで接続することができる雌形ルアーである請求項１〜４の何れか１項に記載の採血ライン構造体。
【請求項６】
前記ホルダー本体と、前記中空針と、前記可撓性チューブと、前記ルアー接続部とが、取り外し不能に固着された一体構造を有している請求項１〜５の何れか１項に記載の採血ライン構造体。
【請求項７】
前記ホルダー本体と前記中空針と前記可撓性チューブと前記ルアー接続部とを含んで構成された完成品の全体が、密閉構造とされた包装体に滅菌状態で収容されている請求項１〜６の何れか１項に記載の採血ライン構造体。
【請求項８】
前記ホルダー本体には、開口部から底部に向かって次第に中心軸に向かって傾斜して突出することにより、該ホルダー本体に差し入れられる前記採血管を案内するガイド部材が設けられている請求項１〜７の何れか１項に記載の採血ライン構造体。
【考案の詳細な説明】
【技術分野】
【０００１】
本考案は、医療用の採血ライン構造体に係り、特にシリンジに採取した血液を採血管に移して密封保存等する際に好適に用いられる採血ライン構造体に関する。
【背景技術】
【０００２】
従来から、医療分野における血液検査等に際しては、採取した血液を採血管によって密封状態で保存して取り扱っている。かかる採血管としては、一般に、試験管状の容器の開口部をゴム栓等で封止した構造とされて、内部空間が減圧された真空採血管が用いられる。
【０００３】
そして、特開昭６２−２２７３１６号公報（特許文献１）に記載されているように、有底筒状のホルダー本体に対して底部を貫通して内外に延びる中空両頭針が取り付けられた採血ホルダーが、採血管と併せて用いられて、採血が行われる。具体的には、採血ホルダーの外部に突出する中空両頭針の一端を血管に穿刺すると共に、ホルダー本体内に突出した中空両頭針の他端をゴム栓に刺通して真空採血管に接続することにより、減圧下にある採血管内に血液を血管から直接に流入させて採取する。
【０００４】
ところで、採血方法の一種として、上述のように血管から直接に採血する他、患者の血管に接続されて体外に構成された血液ラインから採血する方法もある。特に、体外に血液ラインが構成されている場合には、新たに患者に中空針を穿刺する必要がなく患者への負担が軽減されることから、近年では血液ラインからの採血が多く採用されるようになっている。
【０００５】
ところが、血液ラインから採血する場合には、一般に、血液ライン上に設置された混注ポートにルアー接続されるシリンジを用い、シリンジで血液を吸引することにより血液が採取される。それ故、採取したシリンジ内の血液を、採血管に移して密封保存する必要がある。その際、採血した後のシリンジのルアーに中空針を装着して、採血管のゴム栓に刺通することにより、シリンジ内の血液を採血管に移しているが、作業が面倒で且つ誤穿刺の危険もある。また、ゴム栓を開栓して規定量の血液をシリンジから移す施術もあるが、その後に閉栓をしなくてはならず、作業性が非常に悪い。
【先行技術文献】
【特許文献】
【０００６】
【特許文献１】特開昭６２−２２７３１６号公報
【考案の概要】
【考案が解決しようとする課題】
【０００７】
ここにおいて、本考案は上述の如き事情を背景として為されたものであって、その解決課題とするところは、血液ラインからシリンジに採血された血液を採血管へ移す作業を、容易に且つ速やかに、しかも安全に行うことを可能にする、新規な構造の採血ライン構造体を提供することにある。
【課題を解決するための手段】
【０００８】
かかる課題を解決するために為された本考案の第１の態様の特徴とするところは、（ａ）有底筒状とされて開口部から採血管が差し入れられるホルダー本体と、（ｂ）該ホルダー本体の底部から内方に向かって突出して設けられて、前記採血管に刺入接続される中空針と、（ｃ）前記ホルダー本体の底部から外方に向かって延び出して設けられて、前記中空針に連通された可撓性チューブと、（ｄ）該可撓性チューブにおける前記ホルダー本体への接続端とは反対の先端部に設けられて、シリンジのルアーが接続されるルアー接続部とを、有する採血ライン構造体にある。
【０００９】
本態様に従う構造とされた採血ライン構造体を用いれば、血液ラインから採血したシリンジのルアーをルアー接続部に接続すると共に、ホルダー本体に採血管を差し入れて中空針を採血管内に刺通することにより、シリンジ内の血液を可撓性チューブを通じて採血管へ移して密封させることができる。
【００１０】
かかる作業に際しては、シリンジに対して別途に中空針を装着する必要もなく、採血管に刺通される中空針もホルダー本体に収容されていることから、作業者の誤穿刺が防止されて、安全に作業することが可能になる。
【００１１】
しかも、本態様の採血ライン構造体では、シリンジをルアー接続するルアー接続部と、採血管を接続するホルダー本体の中空針とが、フレキシブルな可撓性チューブによって接続されている。それ故、ルアー接続部へのシリンジの接続と、ホルダー本体の中空針への採血管の接続とを、相互の悪影響を避けることで容易に且つ確実に行うことが可能になる。
【００１２】
すなわち、本考案者は、本考案に至る前に、ホルダー本体の底壁から内方に向かって突出する中空針と、ホルダー本体の底壁部から外方に向かって開口する雌ルアーとを、互いに連通させて設けた新規構造の採血ホルダーを考案した。この採血ホルダーを用いれば、血液ラインから採血したシリンジのルアーを雌ルアーに嵌め入れて接続した状態で、ホルダー本体に採血管を差し入れて中空針を採血管内に刺通することにより、シリンジ内の血液を採血管へ移すことができる。しかも、中空針がホルダー本体に収容されていることから、作業者の誤穿刺も防止される。
【００１３】
ところが、かかる構造の採血ホルダーでは、ホルダー本体の底壁に設けた雌ルアーに対してシリンジのルアーを接続させた状態を片手で保ちつつ、もう一方の手で採血管をホルダー本体に差し入れて中空針を刺通させなければならないことから、その作業が難しく、シリンジのホルダー本体への接続が不安定になりがちであるという問題があった。
【００１４】
そこで、そのような構造の採血ホルダーに満足することなく更なる研究を重ねた結果、より優れた本考案を完成するに至ったのであり、本考案における採血ライン構造体では、ホルダー本体に採血管を差し入れて中空針を採血管内に刺通させる際に、ホルダー本体側の動きが可撓性チューブの変形で吸収されて、シリンジが接続されたルアー部に対して直接に及ぼされることがない。それ故、例えば、ルアーに接続されたシリンジをテーブル等の上に置いて、シリンジのルアー部への接続状態を安定して維持しつつ、ホルダー本体を手で持って採血管の接続を容易に且つ安全に行うことが可能になる。
【００１５】
本考案の第２の態様は、前記第１の態様に従う構造とされた採血ライン構造体であって、前記可撓性チューブが、１〜３０ｃｍの全長を有していることを、特徴とする。
【００１６】
本態様の採血ライン構造体では、可撓性チューブの長さを適切に設定したことにより、前述のようにルアー部に接続されたシリンジをテーブル等の上においたままでホルダー本体を手で持って採血管を一層容易に接続することができる。即ち、可撓性チューブの長さが１ｃｍより短いと、採血管の接続操作に際して、ホルダー本体に及ぼされる動きがルアー部に及ぼされ易いことから、シリンジの接続がやや不安定となるおそれがある。一方、可撓性チューブの長さが３０ｃｍより長いと、不必要に長くなって取扱いや収容が煩雑になるおそれがあるし、余分な長さの可撓性チューブが手や他部品に引っ掛かる等して不測のアクシデントが発生することが懸念される場合もある。
【００１７】
本態様のさらに好適な態様として、本考案の第３の態様は、前記第１の態様に従う構造とされた採血ライン構造体であって、前記可撓性チューブが、５〜１５ｃｍの全長を有していることを、特徴とする。
【００１８】
本態様の採血ライン構造体では、前記第２の態様に比べて、可撓性チューブの長さがより適切に設定される。即ち、可撓性チューブの長さが５ｃｍ以上に設定されることにより、採血管の接続操作に際しての動きがシリンジに対して一層及ぼされ難くなり、可撓性チューブの長さを５ｃｍ未満とした場合に比してシリンジの接続が一層安定して維持され得る。また、可撓性チューブの長さが１５ｃｍ以下に設定されることにより、取り扱いが一層容易になると共に、可撓性チューブ内に血液が残留して採血管内に規定量の血液を正確に採取することが難しくなるといった不具合も効果的に回避され得る。
【００１９】
本考案の第４の態様は、前記第１〜３の何れかの態様に従う構造とされた採血ライン構造体であって、前記可撓性チューブが、１〜２ｍｍφの内径寸法を有していることを、特徴とする。
【００２０】
本態様の採血ライン構造体では、可撓性チューブの内径寸法を適切に設定したことにより、採血スピードが遅くならない程度のスムーズな血液流通が許容され得ると共に、可撓性チューブ内の残存血液量を抑えることが可能になる。
【００２１】
本考案の第５の態様は、前記第１〜４の何れかの態様に従う構造とされた採血ライン構造体であって、前記ルアー接続部が、シリンジのルアーを直接に嵌め込んで接続することができる雌形ルアーとされていることを、特徴とする。
【００２２】
本態様の採血ライン構造体では、例えば血液ライン上の混注ポートに対してシリンジの雄形ルアーを直接に接続してシリンジ内に採血する場合に、かかるシリンジを混注ポートから抜き取ったものをそのまま用いて、シリンジの雄形ルアーを、本考案の採血ライン構造体におけるルアー接続部に対して直接に嵌め入れて接続することが可能になる。
【００２３】
なお、ルアー接続部を構成する雌ルアーには、開口部の外周面に突出するねじ山を設けても良く、それにより、シリンジがルアーロックを有する場合に、シリンジをルアー接続部に対してねじ結合して確実にルアー接続することができる。
【００２４】
本考案の第６の態様は、前記第１〜５の何れかの態様に従う構造とされた採血ライン構造体であって、前記ホルダー本体と、前記中空針と、前記可撓性チューブと、前記ルアー接続部とが、取り外し不能に固着された一体構造を有していることを、特徴とする。
【００２５】
本態様の採血ライン構造体では、血液流路が予期せずに分断されてしまうことが防止されて、シリンジ内から採血管内へ血液を一層安定して確実に送り込むことが可能になる。なお、取り外し不能な固着構造は、例えば引っ張ることで容易に抜けてしまうような接続でないことを意味し、ねじ固定や接着、溶着などによって固定されている構造をいう。
【００２６】
本考案の第７の態様は、前記第１〜６の何れかの態様に従う構造とされた採血ライン構造体であって、前記ホルダー本体と前記中空針と前記可撓性チューブと前記ルアー接続部とを含んで構成された完成品の全体が、密閉構造とされた包装体に滅菌状態で収容されていることを、特徴とする。
【００２７】
本態様の採血ライン構造体では、医療現場で使用直前に包装体を開封して取り出すことにより、滅菌状態で採血ラインが現場に提供されると共に、既に採血ラインとして使用可能に構成されて準備されていることから、特別な組立操作等を必要とすることなく直ちに使用することができて、作業を一層容易に且つ安全に行うことが可能になる。
【００２８】
本考案の第８の態様は、前記第１〜７の何れかの態様に従う構造とされた採血ライン構造体であって、前記ホルダー本体には、開口部から底部に向かって次第に中心軸に向かって傾斜して突出することにより、該ホルダー本体に差し入れられる前記採血管を案内するガイド部材が設けられていることを、特徴とする。
【００２９】
本態様の採血ライン構造体では、ガイド部材によって採血管がホルダー本体の中心軸上に案内されつつ差し入れられることにより、ホルダー本体の底壁から突設された中空針を採血管に対して一層安定して刺通することが可能になる。
【考案の効果】
【００３０】
本考案に従う構造とされた採血ライン構造体においては、ホルダー本体と接続部との間での力の伝達が可撓性チューブの変形によって抑えられることから、ホルダー本体に採血管を差し入れて中空針を採血管内に刺通する際にも、ルアー接続部におけるシリンジの接続状態が安定して維持されることとなり、シリンジ内の血液を可撓性チューブを通じて採血管へ移す作業を容易に且つ安定して行うことが可能になる。
【図面の簡単な説明】
【００３１】
【図１】本考案の実施形態としての採血ライン構造体を示す説明図。
【図２】図１に示された採血ライン構造体の斜視図。
【図３】図１におけるホルダー本体側の拡大断面図。
【図４】図１における接続部側の拡大断面図。
【図５】図４に示された接続部側におけるシリンジの接続状態を示す縦断面説明図。
【図６】図３に示されたホルダー本体側における採血管の刺通状態を示す縦断面説明図。
【考案を実施するための形態】
【００３２】
以下、本考案を更に具体的に明らかにするために、本考案の実施形態について、図面を参照しつつ、詳細に説明する。
【００３３】
図１〜２には、本考案の一実施形態としての採血ライン構造体１０の全体が示されており、また、図３〜４には、かかる採血ライン構造体１０の要部拡大断面図が示されている。この採血ライン構造体１０は、例えば患者の血管に接続されて体外に構成された血液ラインから混注ポート等を介して採血したシリンジ１２と、採血管１４とを、連通させることにより、シリンジ１２に収容された血液を採血管１４に移して密閉状態で保存させるのに用いられる。
【００３４】
より詳細には、採血ライン構造体１０は、ホルダー本体１６と、ルアー接続部１８とが、可撓性チューブ２０で相互に接続されて一体的に連結された全体構造を備えている。
【００３５】
ホルダー本体１６は、略円形の筒状部２２の軸方向一方の側に底部としての底壁部２４が設けられた有底筒形状とされている。筒状部２２の軸方向他方の開口部２６には、外周面に突出する鍔部２８が一体形成されている。筒状部２２の内径寸法は、公知の採血管１４を差し入れることができる大きさとされている。なお、筒状部２２は、一般にポリプロピレン、ポリエチレンといった合成樹脂材料で形成されている。
【００３６】
また、筒状部２２内には、挿し入れられる採血管１４を中心軸上に案内して位置決めしたり、必要な強度を確保したりする目的で、ホルダーアダプター３０が嵌め入れられて固着されている。このホルダーアダプター３０は、筒状部２２の開口部２６に対して嵌着される筒状の嵌着部３２と、筒状部２２の底壁部２４に向かって延びると共に、次第に中心軸に向かって傾斜して突出する複数のガイド部材としてのガイド片３４とを有している。筒状部２２の開口部２６から差し入れられる採血管１４が、これらのガイド片３４で案内されることで軸合わせされつつホルダー本体１６の内方に差し入れられるようになっている。かかるガイド片３４は、ある程度弾性変形可能とされていることが望ましい。なお、ホルダー本体１６の筒状部２２内周面において、ガイド片３４の位置しない箇所には、１つ或いは複数の突起３５が設けられている。この突起３５は、ホルダーアダプター３０の嵌着部３２に当接しており、ホルダーアダプター３０とホルダー本体１６との段差をなくし、採血管１４がスムーズに入るようにされている。
【００３７】
また、ホルダー本体１６の底壁部２４には、中央部分において外方に向かって突出する筒状のボス部３６が一体形成されている。そして、このボス部３６の中心孔３８に対して、アダプター４０がねじにより固定されている。このアダプター４０は、全体として略円筒形状とされており、外周面には雄ねじ４１が設けられている。また、アダプター４０には、軸方向一方の側に向かって突出する中空針４２が固着されている。この中空針４２は、基端部分においてアダプター４０の中心孔４４に挿入されており、かかる中心孔４４に対して針穴が連通されている。なお、本実施形態では、接着剤等から構成される接着層４５により中空針４２がアダプター４０に固着されているが、アダプター４０と中空針４２の固着方法は接着剤による固着に限定されず、アダプター４０と中空針４２が取り外し不能であればよい。
【００３８】
さらに、中空針４２には、有底円筒形状の弾性体からなる針カバー（ラバーシール）４６が装着されており、中空針４２の全体が針カバー４６で覆われている。針カバー４６は、中空針４２の先端側から被せられて装着され、その開口部においてアダプター４０の外周面に固着されている。
【００３９】
そして、アダプター４０が、その外周面に設けられた雄ねじ４１によりホルダー本体１６のボス部３６にねじ固定されて取り外し不能に固着されており、針カバー４６で覆われた中空針４２が、ホルダー本体１６の底壁部２４から内方に向かって中心軸上で突出して配置されている。
【００４０】
更にまた、アダプター４０の軸方向他方の端部は、ホルダー本体１６の底壁部２４から外方に向かって突出しており、この突出先端部に対して、ルアー形の中空コネクター４８が固着されている。この中空コネクター４８は、可撓性チューブ２０の一方の端部に対して接着や溶着等で固着されており、アダプター４０の突出先端部に対して嵌着され、必要に応じて溶着や接着されることにより、可撓性チューブ２０の内孔が、アダプター４０を経て、中空針４２の針穴に対して連通されている。
【００４１】
また、かかる可撓性チューブ２０は、変形可能で且つ中空構造を維持し得る強度を有するものであり、例えばポリ塩化ビニル、ポリブタジエン、ポリエチレン、シリコーン、ポリウレタンなどによって形成された、ある程度の弾性を有するものが好適に採用される。
【００４２】
可撓性チューブ２０の内径寸法は、特に限定されるものでないが、採血スピードが遅くならない程度のスムーズな血液流通が許容され得るように、且つ可撓性チューブ２０内の残存血液量を抑え得るように、１〜２ｍｍφの内径寸法とすることが望ましい。更に、可撓性チューブ２０の長さも、特に限定されるものでないが、１〜３０ｃｍ、より好ましくは５〜１５ｃｍの長さとすることが望ましく、それによって、作業性の向上や可撓性チューブ２０内の残存血液量の抑制などが図られ得る。
【００４３】
更にまた、可撓性チューブ２０の他端には、ルアー接続部１８が固着されている。このルアー接続部１８は、テーパ付きの略円筒形状とされており、その小径側端部に対して可撓性チューブ２０の端部が嵌め入れられ、必要に応じて溶着や接着等されることにより固着されて、連通されている。そして、このルアー接続部１８が雌形のルアー４９とされており、シリンジ１２に設けられた雄形のルアー５０が直接に嵌め入れられることにより、容易に接続可能とされている。
【００４４】
なお、本実施形態では、ルアー接続部１８の開口端部において外周面上に突出する突起状の雄ねじ部５２が形成されている。それ故、シリンジ１２にルアーロックが設けられている場合には、この雄ねじ部５２に対してねじ結合することで、シリンジ１２をルアー接続部１８に対して一層確実に固定して接続状態に維持することが可能となる。
【００４５】
上述の如き構造とされた採血ライン構造体１０は、好適には、包装体にパック収納されて、収納状態、且つ密閉状態で放射線照射等により滅菌される。そして、医療現場で使用直前に開封するようにされる。
【００４６】
また、かかる採血ライン構造体１０は、医療現場において、例えば以下のようにして使用される。先ず、図示しない血液ラインに対して、ライン上の混注ポート等にシリンジ１２のルアー５０を直接に接続して採血することにより、シリンジ１２内に血液を収容する。次に、かかるシリンジ１２を血液ラインから抜き取って、図５に示されているように、シリンジ１２のルアー５０を採血ライン構造体１０におけるルアー接続部１８に対して嵌め入れることで直接に接続する。かかる接続は、ホルダー本体１６を持つ必要がなく、ホルダー本体１６からは実質的に独立した状態のルアー接続部１８に対して操作することができるから、作業を容易にすることができる。即ち、可撓性チューブ２０の変形により、シリンジ１２からホルダー本体１６までの連通を容易に行うことが出来る。更に換言すれば、後述する採血管１４の接続時において、シリンジ１２から採血管１４までの連通作業の効率上昇が図られ得る。
【００４７】
そして、シリンジ１２を可撓性チューブ２０に接続したままの状態でテーブル上等に静置したままにする。その後、シリンジ１２はそのままにして、ホルダー本体１６だけを手にもって、ホルダー本体１６に採血管１４を差し入れる。これにより、図６に示されているように、採血管１４は、ホルダーアダプター３０で案内されて、ホルダーアダプター３０の複数のガイド片３４を押し広げて弾性変形させつつ、略中心軸上を奥方に導き入れられる。そして、採血管１４の先端にあるゴム栓５４が針カバー４６に当たり、更に針カバー４６が中空針４２に押し付けられる。その後、針カバー４６から突き出した中空針４２がゴム栓５４に穿刺されて刺通されることにより、中空針４２が採血管１４に連通される。なお、ゴム栓５４の上面には凹部５６が形成されており、針カバー４６は採血管１４の先端面、即ち凹部５６の底面で押し込まれて、ホルダー本体１６の底壁部２４と凹部５６が形成する間隙内に弾性変形させられて収納される。
【００４８】
このように、採血管１４に中空針４２を刺通することにより、可撓性チューブ２０を通じて、シリンジ１２内が採血管１４内に連通されることとなる。かかる状態下、採血管１４の負圧により、シリンジ１２内の血液が可撓性チューブ２０を通じて採血管１４に送り込まれる。また、必要に応じてシリンジ１２のプランジャー５８を押圧操作することにより、血液をシリンジ１２内から採血管１４内に積極的に送り込むことが可能である。
【００４９】
その後、必要量の血液を採血管１４に移送させたら、採血管１４をホルダー本体１６から抜き取る。その際、中空針４２が刺通されて形成されたゴム栓５４の穿刺孔は、ゴム栓５４の弾性復元作用により閉塞される。これにより、血液を採血管１４に密封保存する作業を完了させることができる。
【００５０】
従って、本実施形態の採血ライン構造体１０によれば、シリンジ１２内の血液を可撓性チューブ２０を通じて採血管１４内へ移送させることが出来る。ここにおいて、ホルダー本体１６とルアー接続部１８は可撓性チューブ２０により連結している構造とされており、ホルダー本体１６とルアー接続部１８は相互に独立した操作が可能である。これにより、例えば、シリンジ１２とルアー接続部１８の接続作業と、ホルダー本体１６と採血管１４の接続作業において、相互に与える影響を最小限とすることができ、シリンジ１２から採血管１４への血液の移送における確実性と作業効率の向上が図られ得る。
【００５１】
また、本実施形態におけるシリンジ１２と可撓性チューブ２０の接続は、シリンジ１２の雄形ルアー５０をルアー接続部１８の雌形ルアー４９に嵌め込むだけであり、容易に接続可能とされている。これにより、シリンジ１２から採血管１４への血液の移送における更なる作業効率の向上が図られ得る。
【００５２】
さらに、本実施形態におけるホルダー本体１６と採血管１４の接続においては、図６に示されるように、採血管１４のゴム栓５４がホルダーアダプター３０の複数のガイド片３４を外周側へ押し広げて、各ガイド片３４を弾性変形させる。これにより、各ガイド片３４には内周側への弾性復元力、即ち採血管１４をホルダー本体１６に固定する方向の力が生じる。従って、採血管１４がホルダー本体１６内で傾斜せずに支持され得て、採血管１４への確実な血液移送が図られ得る。
【００５３】
また、本実施形態では、中空針４２の先端はホルダー本体１６内に位置しており、誤穿刺が効果的に防止され得る。さらに、採血管１４のホルダー本体１６への接続前においては、中空針４２は針カバー４６で覆われており、使用前の中空針４２の汚染や落下等による中空針４２の破損が効果的に防止され得る。
【００５４】
更にまた、本実施形態における採血ライン構造体１０を構成する部材は、それぞれの部材の接続部分において、必要に応じて、ねじ固着や接着、溶着等により固着されて、取り外し不能とすることも可能である。特に、ルアー接続部１８からホルダー本体１６に至る血液の流通経路において、各部が取り外し不能とされていることで、血液流路が切断されるおそれを低減または回避することができる。
【００５５】
以上、本考案の実施形態について詳述してきたが、これらはあくまでも例示であって、本考案は、これら実施形態における具体的な記載によって、何等、限定的に解釈されるものでない。
【００５６】
例えば、前記実施形態では、図３等から明らかなように、ボス部３６は外周側と内周側の２重の周壁部で構成されており、内側周壁部の内周面に雄ねじ４１に対応する雌ねじが形成されていたが、その形状に限定されない。具体的には、ボス部３６は１つ、或いは複数の周壁部で構成されていても良く、形成される雌ねじの位置も最も内側の周壁部の内周面に限定されない。
【００５７】
また、前記実施形態のアダプター４０や中空コネクター４８は本考案の実施において必ずしも必要ではない。例えば、可撓性チューブ２０とホルダー本体１６が直接固着されており、ホルダー本体１６外方に延び出す可撓性チューブ２０の内孔とホルダー本体１６内方に延び出す中空針４２の針穴が連通している構造とされていてもよい。
【符号の説明】
【００５８】
１０：採血ライン構造体、１２：シリンジ、１４：採血管、１６：ホルダー本体、１８：ルアー接続部、２０：可撓性チューブ、２４：底壁部、２６：開口部、３４：ガイド片、４２：中空針、４９：雌形ルアー、５０：雄形ルアー
【図１】
0003179889.tif 000003
【図３】
0003179889.tif 000004
【図４】
0003179889.tif 000005
【図５】
0003179889.tif 000006
【図６】
0003179889.tif 000007
【図２】
0003179889.tif 000008